【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
高分子無機ナノ粒子組成物であって、
１つ以上のナノ粒子化合物（Ａ）及び１つ以上のポリマー化合物（Ｂ）を含む混合物を粉砕することによって得られ、
（Ａ）１つ以上のナノ粒子化合物は、
−  金属酸化物ナノ粒子、金属窒化物ナノ粒子、金属炭化物ナノ粒子、及びそれらの混合物からなる群、又は
−  酸化させた金属窒化物ナノ粒子、酸化させた金属炭化物ナノ粒子、及びそれらの混合物からなる群、又は
−  非金属酸化物ナノ粒子からなる群、又は
−  多層もしくは単層の炭素状構造、多層もしくは単層ナノチューブ、カーボンフラーレン、グラフェン、カーボンブラック、グラファイト、及びそれらの混合物からなる群、又は
−  前記ナノ粒子化合物の混合物
から選択され、
かつ
（Ｂ）  １つ以上のポリマー化合物は、以下、
ａ）  以下、
ａ１）  ヒドロキシアルキル（メタ）アクリレート、
ａ２）  アミノアルキル（メタ）アクリレート及びアミノアルキル（メタ）アクリルアミド、
ａ３）  （メタ）アクリル酸のニトリル及び他の窒素含有（メタ）アクリレート、
ａ４）  アリール（メタ）アクリレート、ここで、それぞれの場合にアクリル残基は非置換であるか又は４回まで置換されていてよい、
ａ５）  カルボニル含有（メタ）アクリレート、
ａ６）  エーテルアルコールの（メタ）アクリレート、
ａ７）  ハロゲン化アルコールの（メタ）アクリレート、
ａ８）  オキシラニル（メタ）アクリレート、
ａ９）  リン、ホウ素及び／又はケイ素含有（メタ）アクリレート、
ａ１０）  硫黄含有（メタ）アクリレート、
ａ１１）  複素環式（メタ）アクリレート、
ａ１２）  マレイン酸及びマレイン酸誘導体、
ａ１３）  フマル酸及びフマル酸誘導体、
ａ１４）  ハロゲン化ビニル、
ａ１５）  ビニルエステル、
ａ１６）  芳香族基を含有するビニルモノマー、
ａ１７）  複素環式ビニル化合物、
ａ１８）  ビニルエーテル及びイソプレニルエーテル、
ａ１９）  メタクリル酸及びアクリル酸、
からなるリストから選択される１つ以上の官能性モノマー、
並びに、
ｃ）  モノマー組成物の全質量に対して２０〜８０質量％の、１つ以上の（メタ）アクリル酸のエステルと数平均分子量（Ｍｎ）５００〜１００００ｇ／ｍｏｌを有する１つ以上のヒドロキシル化水素化ポリブタジエンとの反応生成物
を含むモノマー組成物を重合することによって得られ、かつ
１つ以上のナノ粒子化合物（Ａ）と１つ以上のポリマー化合物（Ｂ）との質量比が、２０：１〜１：５である、前記高分子無機ナノ粒子組成物。
【請求項２】
少なくとも１つの１つ以上のエステルｃ）のヒドロキシル化水素化ポリブタジエンが、数平均分子量（Ｍｎ）１５００〜２１００ｇ／ｍｏｌを有する、請求項１に記載の高分子無機ナノ粒子組成物。
【請求項３】
モノマー組成物は、さらに、成分ｂ）として、１つ以上のアルキル（メタ）アクリレートモノマーを含み、ここで、１つ以上のアルキル（メタ）アクリレートモノマーのそれぞれのアルキル基は、独立して、直鎖、環状又は分枝鎖であり、かつ炭素原子１〜４０個を含む、請求項１又は２に記載の高分子無機ナノ粒子組成物。
【請求項４】
炭素原子１〜４０個を含む、直鎖、環状又は分枝鎖のアルキル基を有する１つ以上のアルキル（メタ）アクリレートモノマーが、独立して、
ｂ１）  式（Ｉ）
【化１】
2021512189.tif 000001
［式中、Ｒは水素又はメチルであり、Ｒ1は、炭素原子１〜８個、好ましくは炭素原子１〜５個、より好ましくは炭素原子１〜３個を有する直鎖、分枝鎖又は環状のアルキル基を意味する］であるか、
ｂ２）  式（ＩＩ）
【化２】
2021512189.tif 000002
［式中、Ｒは水素又はメチルであり、Ｒ2は、炭素原子９〜１５個、好ましくは炭素原子１２〜１５個、より好ましくは炭素原子１２〜１４個を有する直鎖、分枝鎖又は環状のアルキル基を意味する］であるか、又は
ｂ３）  式（ＩＩＩ）
【化３】
2021512189.tif 000003
［式中、Ｒは水素又はメチルであり、Ｒ3は、炭素原子１６〜４０個、好ましくは炭素原子１６〜３０個、より好ましくは炭素原子６〜２０個を有する直鎖、分枝鎖又は環状のアルキル基を意味する］である、請求項３に記載の高分子無機ナノ粒子組成物。
【請求項５】
１つ以上のポリマー化合物（Ｂ）が、成分ａ）及びｃ）、並びに任意で成分ｂ）を含むモノマー組成物を重合することによって得られ、ここで、１つ以上のポリマー化合物（Ｂ）は、１００００〜１００００００ｇ／ｍｏｌ、より好ましくは５００００〜１００００００ｇ／ｍｏｌ、さらにより好ましくは１０００００〜８０００００ｇ／ｍｏｌ、最も好ましくは２０００００〜６０００００ｇ／ｍｏｌの質量平均分子量（Ｍw）を有する、請求項１から４までのいずれか１項に記載の高分子無機ナノ粒子組成物。
【請求項６】
１つ以上のナノ粒子化合物（Ａ）と１つ以上のポリマー化合物（Ｂ）との質量比が、１０：１〜１：２である、請求項１から５までのいずれか１項に記載の高分子無機ナノ粒子組成物。
【請求項７】
１つ以上のポリマー化合物（Ｂ）は、
ａ２）１つ以上のポリマー化合物（Ｂ）に対して、０．５〜５質量％の第一の成分ａ）としてアミノアルキル（メタ）アクリルアミド、最も好ましくはＮ−（３−ジメチル−アミノプロピル）メタクリルアミド、
ａ１６）１つ以上のポリマー化合物（Ｂ）に対して、５〜２０質量％の第二の成分ａ）として芳香族基を含むビニルモノマー、最も好ましくはスチレン、
ｂ１）１つ以上のポリマー化合物（Ｂ）に対して、２５〜６０質量％の第一の成分ｂ）として式（Ｉ）のアルキル（メタ）アクリレートモノマー、最も好ましくはメチルメタクリレート及び／又はブチルメタクリレート、
ｂ２）１つ以上のポリマー化合物（Ｂ）に対して、１〜１０質量％の第二の成分ｂ）として式（ＩＩ）のアルキル（メタ）アクリレートモノマー、最も好ましくはラウリルメタクリレート、及び
ｃ）１つ以上のポリマー化合物（Ｂ）に対して、２５〜６０質量％の成分ｃ）として、（メタ）アクリル酸のエステルと５００〜１００００ｇ／ｍｏｌの数平均分子量（Ｍn）を有するヒドロキシル化水素化ポリブタジエンとの、最も好ましくは（メタ）アクリル酸のエステルと１５００〜５０００ｇ／ｍｏｌの数平均分子量（Ｍn）を有するヒドロキシル化水素化ポリブタジエンとの反応に由来するマクロモノマー
を含むモノマー組成物を重合することによって得られ、ここで、モノマー組成物の全てのモノマーの量は、合計で１００質量％である、請求項４から６までのいずれか１項に記載の高分子無機ナノ粒子組成物。
【請求項８】
ナノ粒子化合物（Ａ）は、六方晶窒化ホウ素（ｈＢＮ）ナノ粒子を含む、請求項１から７までのいずれか１項に記載の高分子無機ナノ粒子組成物。
【請求項９】
請求項１から８までのいずれか１項に記載の高分子無機ナノ粒子組成物を製造する方法であって、
（ａ）１つ以上のナノ粒子化合物（Ａ）を準備するステップ、
（ｂ）１つ以上のポリマー化合物（Ｂ）を準備するステップ、
（ｃ）好ましくは、溶媒（Ｃ）を準備するステップ、
（ｄ）少なくとも１つ以上のナノ粒子化合物（Ａ）と１つ以上のポリマー化合物（Ｂ）とを合して混合物を得るステップ、好ましくは少なくとも１つ以上のナノ粒子化合物（Ａ）と１つ以上のポリマー化合物（Ｂ）と溶媒（Ｃ）とを合して混合物を得るステップ、及び
（ｅ）混合物を粉砕するステップ
を含む、前記方法。
【請求項１０】
潤滑剤組成物のための添加剤としての、請求項１から８までのいずれか１項に記載の高分子無機ナノ粒子組成物の使用。
【請求項１１】
以下、
（ａ）基油、及び
（ｂ）請求項１から８までのいずれか１項に記載の高分子無機ナノ粒子組成物
を含む、配合物。
【請求項１２】
基油が、ＡＰＩ群Ｉの基油、ＡＰＩ群ＩＩの基油、ＡＰＩ群ＩＩＩの基油、ＡＰＩ群ＩＶの基油、及びＡＰＩ群Ｖの基油、又はそれら基油の２つ以上の混合物からなるリストから選択される、請求項１１に記載の配合物。
【請求項１３】
配合物の全質量に対して、（ｉ）基油４０〜９５質量％、より好ましくは７０〜９０質量％、及び（ｉｉ）高分子無機ナノ粒子組成物５〜６０質量％、より好ましくは１０〜３０質量％を含む、請求項１１又は１２に記載の配合物。
【請求項１４】
配合物の全質量に対して、（ｉ）基油５０〜９９．９９質量％、より好ましくは６５〜９９．９９質量％、さらにより好ましくは７５〜９９．９質量％、及び（ｉｉ）高分子無機ナノ粒子組成物０．０１〜５０質量％、より好ましくは０．０１〜３５質量％、さらにより好ましくは０．１〜２５質量％を含む、請求項１１又は１２に記載の配合物。